(57)【特許請求の範囲】
【請求項１】
農業用太陽光制御フィルムにおいて、
入射面と出射面とを有するフィルム基材を備え、
フィルム基材の出射面に複数の凸状部が設けられ、
各凸状部は多面体からなる単位プリズムからなり、各単位プリズムは入射面に入る光を出射面から互いに異なる２方向以上に屈折させて出射させ、
各単位プリズムは切頭四角すい状の単位プリズムからなることを特徴とする農業用太陽光制御フィルム。
【請求項２】
複数の凸状部のうち、一の単位プリズムの高さは他の単位プリズムの高さとは異なることを特徴とする請求項１記載の農業用太陽光制御フィルム。
【請求項３】
農業用太陽光制御フィルムにおいて、
入射面と出射面とを有するフィルム基材を備え、
フィルム基材の出射面に複数の凸状部が設けられ、
各凸状部は多角柱状の細長状プリズムからなり、細長状プリズムは一方向に延びる第１細長状プリズムと、この一方向と異なる他方向に延びる第２細長状プリズムとを有し、
一方向に延びる第１細長状プリズムと他方向に延びる第２細長状プリズムとにより、入射面に入る光を互いに異なる２方向に屈折させて出射面から出射させ、
第１細長状プリズムおよび第２細長状プリズムは平坦な頂面を有する三角柱状をなしていることを特徴とする農業用太陽光制御フィルム。
【請求項４】
一方向に延びる第１細長状プリズムと、他方向に延びる第２細長状プリズムは互いに直交することを特徴とする請求項３記載の農業用太陽光制御フィルム。
【請求項５】
第１細長状プリズムおよび第２細長状プリズムの高さは、互いに異なることを特徴とする請求項３記載の農業用太陽光制御フィルム。
【請求項６】
農業用太陽光制御フィルムにおいて、
入射面と出射面とを有するフィルム基材を備え、
フィルム基材の出射面に複数の凸状部が設けられ、
各凸状部は多面体からなる単位プリズムからなり、各単位プリズムは入射面に入る光を出射面から互いに異なる２方向以上に屈折させて出射させ、
フィルム基材の出射面側に、補強板を固着したことを特徴とする農業用太陽光制御フィルム。
【請求項７】
農業用太陽光制御フィルムにおいて、
入射面と出射面とを有するフィルム基材を備え、
フィルム基材の出射面に複数の凸状部が設けられ、
各凸状部は多角柱状の細長状プリズムからなり、細長状プリズムは一方向に延びる第１細長状プリズムと、この一方向と異なる他方向に延びる第２細長状プリズムとを有し、
一方向に延びる第１細長状プリズムと他方向に延びる第２細長状プリズムとにより、入射面に入る光を互いに異なる２方向に屈折させて出射面から出射させ、
フィルム基材の出射面側に、補強板を固着したことを特徴とする農業用太陽光制御フィルム。
【請求項８】
補強板に開孔を設けたことを特徴とする請求項６または７記載の農業用太陽光制御フィルム。
【発明の詳細な説明】
【技術分野】
【０００１】
本発明は農業用太陽光制御フィルムに係り、とりわけ、ハウス内に入射する太陽光の光量を調節する農業用太陽光制御フィルムに関する。
【背景技術】
【０００２】
ハウスに設置される農業用太陽光制御フィルムにおいて、ハウス内の入射光量を調節する方法としてはフィルム上に凹凸を設けたものが知られている（例えば、特許文献１）。特許文献１に記載される従来のフィルムは、フィルム上に全て一方向に沿った凹状を設けることにより、夏期の太陽の高度が高いときに光量を減少させ、冬期の太陽の高度が低いときに光量を増加させている。
【０００３】
しかしながら、夏期であっても冬期であっても、太陽は一日の間にその高度が変化する。
【０００４】
太陽の高度は夏期と冬期の間で南北方向に変化し、一日の間で東西方向に変化するが、従来のフィルムは夏期と冬期の間における太陽の高度変化のみを対象としている。
【先行技術文献】
【特許文献】
【０００５】
【特許文献１】特許第２９１０２９１号公報
【発明の概要】
【発明が解決しようとする課題】
【０００６】
本発明はこのような点を考慮してなされたものであり、太陽が夏期と冬期との間で南北方向に沿って高度が変化し、一日の間で東西方向に沿って高度が変化することを考慮し、このように高度が変化する太陽から、効率良くハウス内へ太陽光を導くことができる農学用太陽光制御フィルムを提供することを目的とする。
【課題を解決するための手段】
【０００７】
本発明は、農業用太陽光制御フィルムにおいて、入射面と出射面とを有するフィルム基材を備え、フィルム基材の出射面に複数の凸状部が設けられ、各凸状部は多面体からなる単位プリズムからなり、各単位プリズムは入射面に入る光を出射面から互いに異なる２方向以上に屈折させて出射させ、各単位プリズムは切頭四角すい状の単位プリズムからなることを特徴とする農業用太陽光制御フィルムである。
【００１１】
本発明は、複数の凸状部のうち、一の単位プリズムの高さは他の単位プリズムの高さとは異なることを特徴とする農業用太陽光制御フィルムである。
【００１２】
本発明は、農業用太陽光制御フィルムにおいて、入射面と出射面とを有するフィルム基材を備え、フィルム基材の出射面に複数の凸状部が設けられ、各凸状部は多角柱状の細長状プリズムからなり、細長状プリズムは一方向に延びる第１細長状プリズムと、この一方向と異なる他方向に延びる第２細長状プリズムとを有し、一方向に延びる第１細長状プリズムと他方向に延びる第２細長状プリズムとにより、入射面に入る光を互いに異なる２方向に屈折させて出射面から出射させ、第１細長状プリズムおよび第２細長状プリズムは平坦な頂面を有する三角柱状をなしていることを特徴とする農業用太陽光制御フィルムである。
【００１５】
本発明は、一方向に延びる第１細長状プリズムと、他方向に延びる第２細長状プリズムは互いに直交することを特徴とする農業用太陽光制御フィルムである。
【００１６】
本発明は、第１細長状プリズムおよび第２細長状プリズムの高さは、互いに異なることを特徴とする農業用太陽光制御フィルムである。
【００１７】
本発明は、農業用太陽光制御フィルムにおいて、入射面と出射面とを有するフィルム基材を備え、フィルム基材の出射面に複数の凸状部が設けられ、各凸状部は多面体からなる単位プリズムからなり、各単位プリズムは入射面に入る光を出射面から互いに異なる２方向以上に屈折させて出射させ、フィルム基材の出射面側に、補強板を固着したことを特徴とする農業用太陽光制御フィルムである。
本発明は、農業用太陽光制御フィルムにおいて、入射面と出射面とを有するフィルム基材を備え、フィルム基材の出射面に複数の凸状部が設けられ、各凸状部は多角柱状の細長状プリズムからなり、細長状プリズムは一方向に延びる第１細長状プリズムと、この一方向と異なる他方向に延びる第２細長状プリズムとを有し、一方向に延びる第１細長状プリズムと他方向に延びる第２細長状プリズムとにより、入射面に入る光を互いに異なる２方向に屈折させて出射面から出射させ、フィルム基材の出射面側に、補強板を固着したことを特徴とする農業用太陽光制御フィルムである。
【００１８】
本発明は、補強板に開孔を設けたことを特徴とする農業用太陽光制御フィルムである。
【発明の効果】
【００１９】
以上のように本発明によれば、夏期と冬期との間で南北方向に沿って太陽の高さが変化し、一日の間で東西方向に沿って太陽の高さが変化した場合、このように高さが変化する太陽からの太陽光を効果的にハウス内に導くことができる。
【図面の簡単な説明】
【００２０】
【図１】図１（ａ）〜（ｄ）は本発明の第１の実施の形態による農業用太陽光制御フィルムを示す図。
【図２】図２（ａ）（ｂ）は農業用太陽光制御フィルムが設置されるハウスを示す図。
【図３】図３はハウスに設置された農業用太陽光制御フィルムを示す図。
【図４】図４（ａ）〜（ｄ）は農業用太陽光制御フィルムの作用を示す図。
【図５】図５（ａ）（ｂ）は農業用太陽光制御フィルムの作用を示す図。
【図６】図６（ａ）（ｂ）は農業用太陽光制御フィルムの作用を示す図。
【図７】図７は季節による太陽の通り道の変化を示す図。
【図８】図８（ａ）〜（ｄ）は本発明の変形例を示す図。
【図９】図９（ａ）〜（ｅ）は本発明の変形例を示す図。
【図１０】図１０（ａ）〜（ｃ）は本発明の変形例を示す図。
【図１１】図１１（ａ）〜（ｃ）は本発明の変形例を示す図。
【図１２】図１２（ａ）〜（ｃ）は本発明の変形例を示す図。
【図１３】図１３（ａ）〜（ｅ）は本発明の第２の実施の形態による農業用太陽光制御フィルムを示す図。
【図１４】図１４（ａ）〜（ｅ）は本発明の変形例を示す図。
【図１５】図１５（ａ）〜（ｅ）は本発明の変形例を示す図。
【図１６】図１６（ａ）〜（ｄ）は本発明の変形例を示す図。
【図１７】図１７（ａ）〜（ｃ）は本発明の変形例を示す図。
【図１８】図１８（ａ）〜（ｃ）は本発明の変形例を示す図。
【発明を実施するための形態】
【００２１】
第１の実施の形態
以下、図面を参照して本発明の第１の実施の形態について説明する。
【００２２】
図１乃至図７は本発明による農業用太陽光制御フィルムの第１の実施の形態を示す図である。
【００２３】
まず図２（ａ）（ｂ）により、農業用太陽光制御フィルム１０が設置されるハウス２０について説明する。
【００２４】
ハウス２０内には草丈約２ｍの植物２１が１ｍ間隔で植えられている。ハウス２０は、高さ３．５ｍの側壁２３を有し、側壁２３上部には農業用太陽光制御フィルム１０が設置され、この農業用太陽光制御フィルム１０はハウス２０の頂部を構成する。
【００２５】
ハウス２０の全高は５．５ｍとなっており、農業用太陽光制御フィルム１０は、水平面に対して約２３°の傾斜角をもって配置されている。またハウス２０の全長は８ｍとなっている。
【００２６】
図２（ａ）（ｂ）において、冬期には太陽光Ｌは水平面に対して最大約３２°の傾斜角でハウス２０へ入射し、夏期には太陽光Ｌは最大約７８°の傾斜角でハウス２０へ入射する。
【００２７】
このように太陽光は、夏期と冬期の間で南北方向に沿ってその高度が変化する。
【００２８】
また太陽光は一日の間でも、東西方向に沿ってその高度が変化する（図７参照）。
【００２９】
本発明による太陽光制御フィルムは、後述のように、太陽の高度が夏期と冬期の間で変化し、一日の間でも変化することを考慮し、太陽から効率良くハウス２０内へ太陽光を導くものである。
【００３０】
次に本発明による農業用太陽光制御フィルムについて、更に説明する。
【００３１】
図１（ａ）（ｂ）（ｃ）（ｄ）に示すように、農業用太陽光制御フィルム１０は、入射面１１ａと出射面１１ｂとを有するフィルム基材１１からなり、フィルム基材１１の出射面１１ｂに多数の単位プリズム１２からなる凸状部が設けられている。
【００３２】
各単位プリズム１２は、各々多面体、例えば四角すい状となっており、フィルム基材１１の出射面１１ｂに格子状に配置されている。
【００３３】
ここで図１（ａ）は農業用太陽光制御フィルム１０を示す裏面図であり、図１（ｂ）は図１（ａ）のＸ線方向断面図であり、図１（ｃ）は各単位プリズム１２を示す図であり、図１（ｄ）は図１（ｄ）のＹ線方向断面図である。
【００３４】
各単位プリズム１２は、四角すい状をなしているため、各単位プリズム１２においてフィルム基材１１の入射面１１ａに入る一方向の太陽光の成分を屈折させて出射面１１ｂから出射させ、入射面１１ａに入る一方向に直交する他方向の太陽光の成分を屈折させて出射面１１ｂから出射させることができる。
【００３５】
例えば、フィルム基材１１の入射面１１ａに入る一方向が、夏期と冬期との間で太陽の高度が変化する南北方向であり、他方向が一日の間で太陽の高度が変化する東西方向の場合、各単位プリズム１２によって夏期と冬期との間で高度が変化する太陽光を屈折させてハウス２０内に導びき、一日の間で高度が変化する太陽光を屈折させてハウス２０内に導びくことができる。
【００３６】
次に農業用太陽光制御フィルム１０のフィルム基材１１の材料について述べる。
【００３７】
フィルム基材１１は、透光性を有するものであれば特に制限はないが、例えば、ポリ塩化ビニル、ポリオレフィン、酢酸ビニル、ポリエチレンなどのプラスチック系材質のフィルムやフッ素樹脂フィルムやガラス板などから選択することができる。
【００３８】
なかでも、保温性の観点からポリオレフィン材質のフィルムを用いたり、耐久性の観点からフッ素樹脂材質のフィルムを用いることが望ましい。
【００３９】
フィルム基材１１の製造方法としては、プラスチック系材質であれば押し出しやインフレーションなど加熱溶融時にエンボスなど賦形を直接施すこともできるし、フィルム製造後に別途ＵＶ硬化樹脂などを表面塗布した後に、エンボス硬化させてもよい。
【００４０】
フィルム基材１１の厚さに特に制限はないが、例えば、７５μｍ〜１５０μｍの範囲とすることが好ましい。フィルム基材１１の厚さを上記範囲とすることで重量や原料コストを抑えつつ一定の強度を保つとすることができる。
【００４１】
次にこのような構成からなる本実施の形態の作用について説明する。
【００４２】
まず一日の間で太陽の高さは東西方向に変化する。
【００４３】
図３および図４（ａ）（ｂ）（ｃ）（ｄ）に示すように、ハウス２０に設置された農業用太陽光制御フィルム１０に対して太陽光Ｌが入射する。このとき、朝と夕は太陽の高度が低く、昼は太陽の高度が高くなっている。
【００４４】
本実施の形態によれば、農業用太陽光制御フィルム１０はフィルム基材１１からなり、フィルム基材１１の出射面１１ｂに、正四角すい状の多数単位プリズム１２が格子状に配置されているので、この単位プリズム１２によって太陽光Ｌを屈折させて効率良くハウス２０内へ導くことができる。
【００４５】
ここで図３はハウス２０を示す概略斜視図であり、図４（ａ）（ｂ）はハウス２０内を異なる方向からみた図であり、図４（ｃ）は朝に農業用太陽光制御フィルム１０の単位プリズム１２を通る太陽光Ｌを示す図であり、図４（ｄ）は、夕に農業用太陽光制御フィルム１０の単位プリズム１２を通る太陽光Ｌを示す図である。
【００４６】
図３および図４（ａ）（ｂ）（ｃ）（ｄ）に示すように、朝夕は、太陽は低い位置にある。このとき、農業用太陽光制御フィルム１０に低い位置から斜めに入射する太陽光Ｌは、各単位プリズム１２を通って垂直方向に向って屈折してハウス２０内に出射される（図４（ａ）（ｃ）（ｄ））。
【００４７】
このように太陽光Ｌが各単位プリズム１２により垂直方向に向って屈折した後、ハウス２０内に出射される。このため、太陽光Ｌは植物２１間にも十分に達することができ、ハウス２０内の植物２１の略全体に効果的に光を導くことができる。
【００４８】
また昼においては、太陽は比較的高い位置にある。このとき、農業用太陽光制御フィルム１０に高い位置から入射する太陽光Ｌは、単位プリズム１２により、より垂直方向に向って屈折してハウス２０内に出射される（図４（ｄ））。
【００４９】
このため昼においては、ハウス２０内に出射される太陽光Ｌは植物２１の下方まで十分に行き渡ることになる。
【００５０】
なお、図４（ｃ）（ｄ）に示すように、朝夕で太陽の高度が対称に変化するため、東西方向に沿った単位プリズム１２の断面形状は、横方向長さ１０に対し高さ方向長さが５である二等辺三角形となっており、左右対称形となる。
【００５１】
他方、冬期と夏期の間でも太陽の高さが南北方向に変化する。
【００５２】
図５（ａ）（ｂ）および図６（ａ）（ｂ）に示すように、ハウス２０に設置された農業用太陽光制御フィルム１０に対して太陽光Ｌが入射する。このとき、冬期は太陽の高度が低く、夏期は太陽の高度が高くなっている。
【００５３】
本実施の形態によれば、農業用太陽光制御フィルム１０はフィルム基材１１からなり、フィルム基材１１の出射面１１ｂに、正四角すい状の多数単位プリズム１２が格子状に配置されているので、この単位プリズム１２によって太陽光Ｌを屈折させて効率良くハウス２０内へ導くことができる。
【００５４】
ここで図５（ａ）は冬期に農業用太陽光制御フィルム１０を通る太陽光Ｌを示す図であり、図５（ｂ）はそのときの単位プリズムの拡大図である。また図６（ａ）は夏期に、農業用太陽光制御フィルム１０を通る太陽光Ｌを示す図であり、図６（ｂ）はそのときの単位プリズムの拡大図である。
【００５５】
図５（ａ）（ｂ）に示すように、冬期、太陽は低い位置にある。このとき、農業用太陽光制御フィルム１０に低い位置から斜めに入射する太陽光Ｌは、各単位プリズム１２を通って垂直方向に向って屈折してハウス２０内に出射される（図５（ａ）（ｂ））。
【００５６】
このように太陽光Ｌが各単位プリズム１２により垂直方向に向って屈折した後、ハウス２０内に出射される。このため太陽光Ｌは植物２１間にも十分に達することができ、ハウス２０内の植物２１の略全体に効果的に光を導くことができる。
【００５７】
また夏期においては、太陽は比較的高い位置にある。このとき、農業用太陽光制御フィルム１０に高い位置から入射する太陽光Ｌは、単位プリズム１２により、より垂直方向に向って屈折してハウス２０内に出射される（図６（ａ）（ｂ））。
【００５８】
このため夏期においては、ハウス２０内に出射される太陽光Ｌは植物２１の下方まで十分に行き渡ることになる。
【００５９】
なお、図５（ａ）（ｂ）および図６（ａ）（ｂ）に示すように、夏期と冬期では太陽の高度が非対称に変化するため、南北方向に沿った単位プリズム１２の断面形状は横方向長さ１０に対し高さ方向長さが５となっており、頂点から下ろした垂線により横方向長さは８：２に分けられ、左右非対称となっている。太陽光制御フィルム１０が水平面に対して傾斜角２３°で配置された場合、単位プリズム１２の鋭角部１２Ａの角度を２３°とすることで、単位プリズム１２の長辺と地面とのなす角度が約４５°となる。このため太陽光を４５°だけ曲げたい場合、単位プリズム１２を抜ける光の屈折を気にすることはなく、設計が容易となる。
【００６０】
変形例
次に図８（ａ）（ｂ）（ｃ）（ｄ）乃至図１２により本発明の変形例について説明する。
【００６１】
まず図８（ａ）（ｂ）（ｃ）（ｄ）に示すように、農業用太陽光制御フィルム１０は、入射面１１ａと出射面１１ｂとを有するフィルム基材１１を備え、フィルム基材１１の出射面１１ｂに各々が単位プリズム１２からなる多数の凸状部が設けられている。
【００６２】
各単位プリズム１２はフィルム基材１１の出射面１１ｂに格子状に配置されている。
【００６３】
ここで図８（ａ）は農業用太陽光制御フィルム１０を示す平面図であり、図８（ｂ）は図８（ａ）のＸ線方向断面図であり、図８（ｃ）は単位プリズム１２を示す斜視図であり、図８（ｄ）は図８（ａ）のＹ線方向断面図である。
【００６４】
各単位プリズム１２は切頭四角すい状をなし、頂面１２ａを有している。このように各単位プリズム１２が頂面１２ａを有する切頭四角すい状をなしているので、各単位プリズム１２の頂面１２ａにおいて結露しにくくなっており、ハウス２０内に水滴が落ちることはない。このため、ハウス２０内に水が溜って雑菌が繁殖することを防止できる。
【００６５】
次に図９（ａ）（ｂ）（ｃ）（ｄ）（ｅ）により本発明の他の変形例について説明する。
【００６６】
図９（ａ）（ｂ）（ｃ）（ｄ）（ｅ）に示すように、農業用太陽光制御フィルム１０は、入射面１１ａと出射面１１ｂとを有するフィルム基材１１を備え、フィルム基材１１の出射面１１ｂに各々が単位プリズム１２からなる多数の凸状部が設けられている。
【００６７】
各単位プリズム１２はフィルム基材１１の出射面１１ｂに格子状に配置されている。
【００６８】
ここで図９（ａ）は農業用太陽光制御フィルム１０を示す平面図であり、図９（ｂ）（ｃ）は図９（ａ）のＸ線方向断面図であり、図９（ｄ）（ｅ）は図９（ａ）のＹ線方向断面図である。
【００６９】
図９（ａ）（ｂ）（ｃ）（ｄ）（ｅ）に示すように、各単位プリズム１２には、基材フィルム１１の出射面１１ｂに所定間隔をおいて配置されており、各単位プリズム１２間には平坦面１３が形成されている。この場合、各単位プリズム１２は四角すい状をなしているが（図９（ｂ）（ｄ）参照）、各単位プリズム１２が頂面１２ａを有する切頭円すい状をなしていても良い（図９（ｃ）（ｅ）参照）。
【００７０】
このように基材フィルム１１の各単位プリズム１２間に平坦面１３を形成することにより、太陽光を屈折させない部分（平坦面）１３、すなわち太陽光の光路長を各単位プリズム１２に比べて短くすることができる部分を広く取ることができる。
【００７１】
次に、図１０（ａ）（ｂ）（ｃ）により本発明の他の変形例について説明する。農業用太陽光制御フィルム１０のフィルム基材１１の出射面１１ｂに形成された単位プリズム１２を、各々平面からみて正方形状に配置してもよく、長方形状に配置してもよい（図１０（ａ））。
【００７２】
このように単位プリズム１２を長方形状に配置することにより、冬期と夏期の太陽の高度変化の対応および一日の太陽の高度変化の対応を所望の比率で対処することができる。
【００７３】
またフィルム基材１１の出射面１１ｂに形成された単位プリズム１２は、各々平面からみてひし形状に配置してもよい（図１０（ｂ））。このように単位プリズム１２を平行四辺形状に配置することにより、農業用太陽光制御フィルム１０の近傍に反射板を設置して光量増加を図る場合、あるいは都心部で複数の反射光を受ける場合、あるいは複数の人工光源を受ける場合に対応することができる。
【００７４】
さらに単位プリズム１２を平面三角形状に配置してもよい（図１０（ｃ））。
【００７５】
次にフィルム基材１１の出射面１１ｂに設けられた単位プリズム１２の形状について述べる。上述した実施の形態において、単位プリズム１２は正四角すい状となっていてもよく（図１１（ａ））、単位プリズム１２は尾根を有する四角すい状となっていてもよく（図１１（ｂ））、また単位プリズム１２は頂面１２ａを有する切頭四角すい状となっていてもよい。
【００７６】
また単位プリズム１２の高さを互いに変化させてもよい。すなわち単位プリズム１２の高さを大きくして、太陽光の屈折効果を大きくしてもよく、単位プリズム１２の高さを小さくして太陽光の屈折効果を抑えてもよい。
【００７７】
このように単位プリズム１２の高さを大きくしたり、小さくすることにより、冬期と夏期の太陽の高度変化の対応、あるいは一日の太陽の高度変化の対応を所望に応じて行なうことができる。
【００７８】
また図１２（ａ）（ｂ）（ｃ）に示すように、農業用太陽光制御フィルム１０のフィルム基材１１の出射面１１ｂのうち、単位プリズム形成領域１５のみに単位プリズム１２からなる凸状部を設け、単位プリズム形成領域１５以外の領域を単位プリズム１２のない平坦領域１６として残しておいてもよい（図１２（ａ））。
【００７９】
この場合、フィルム基材１１の中央部に単位プリズム形成領域１５を設け、単位プリズム形成領域１５の外周を平坦領域１６として残しておいてもよい（図１２（ｂ））。
【００８０】
またフィルム基材１１に４つの単位プリズム形成領域１５を設け、単位プリズム形成領域１５間および単位プリズム形成領域１５の外周を平坦領域１６として残しておいてもよい（図１２（ｃ））。
【００８１】
このようにフィルム基材１１に単位プリズム形成領域１５および平坦領域１６を設けることにより、ハウス２０に農業用太陽光制御フィルム１０を設置する際、この平坦領域１６をパイプとの接続部としたり、この平坦領域１６を折り畳み領域として用いたり、この平坦領域１６を接続部として用いることができる。
【００８２】
第２の実施の形態
次に図１３（ａ）（ｂ）（ｃ）（ｄ）（ｅ）〜図１８により、本発明による農業用太陽光制御フィルムの第２の実施の形態について、更に説明する。なお図１３（ａ）（ｂ）（ｃ）（ｄ）（ｅ）〜図１８に示す第２の実施の形態において、図１乃至図１２に示す第１の実施の形態と同一部分には同一符号を付して詳細な説明は省略する。
【００８３】
図１３（ａ）（ｂ）（ｃ）（ｄ）（ｅ）に示すように、農業用太陽光制御フィルム１０は、入射面１１ａと出射面１１ｂとを有するフィルム基材１１からなり、フィルム基材１１の出射面１１ｂに多数の細長状プリズム３２Ａ、３２Ｂからなる凸状部が設けられている。
【００８４】
細長状プリズム３２Ａ、３２Ｂは、各々三角柱状となっており、一方向に延びる第１細長状プリズム３２Ａと、この一方向に直交する他方向に延びる第２細長状プリズム３２Ｂとを有している。
【００８５】
ここで図１３（ａ）は農業用太陽光制御フィルム１０を示す裏面図であり、図１３（ｂ）は図１３（ａ）のＸ線方向断面図であり、図１３（ｃ）は第１細長状プリズム１２を示す図であり、図１３（ｄ）は第２細長状プリズム１２を示す図であり、図１３（ｅ）は図１３（ａ）のＹ線方向断面図である。
【００８６】
図１３（ａ）（ｂ）（ｃ）（ｄ）（ｅ）に示すように、フィルム基材１１の出射面１１ｂに細長状プリズム３２Ａ、３２Ｂを設ける場合、フィルム基材１１に単位プリズム１２を設ける場合に比べて、成形が容易となる。
【００８７】
また第１細長状プリズム３２Ａおよび第２細長状プリズム３２Ｂの本数等は、冬期と夏期の太陽の高度変化の対応および一日の太陽の高度変化の対応のいずれを優先させるかにより、決定することができる。
【００８８】
図１３において、第１細長状プリズム３２Ａと第２細長状プリズム３２Ｂは互いに直交しているため、フィルム基材１１の入射面１１ａに入る一方向の太陽光を第１細長状プリズム３２Ａで屈折させて出射面１１ｂから出射させ、入射面１１ａに入る一方向に直交する他方向の太陽光を第２細長状プリズム３２Ｂで屈折させて出射面１１ｂから出射させることができる。
【００８９】
例えば、フィルム基材１１の入射面１１ａに入る一方向が、夏期と冬期との間で太陽の高度が変化する南北方向であり、他方向が一日の間で太陽の高度が変化する東西方向の場合、第１細長状プリズム３２Ａによって夏期と冬期との間で高度が変化する太陽光を屈折させてハウス２０内に導びき、第２細長状プリズム３２Ｂによって一日の間で高度が変化する太陽光を屈折させてハウス２０内に導びくことができる。
【００９０】
なお、第１細長状プリズム３２Ａおよび第２細長状プリズム３２Ｂの配置は図１３（ａ）に示すものに限らず、各プリズムを含む領域がフィルム面内に千鳥足状に配置されていてもよい。
【００９１】
変形例
次に本発明の変形例を図１４（ａ）（ｂ）（ｃ）（ｄ）（ｅ）により説明する。
【００９２】
図１４（ａ）（ｂ）（ｃ）（ｄ）（ｅ）に示すように、農業用太陽光制御フィルム１０は、入射面１１ａと出射面１１ｂとを有するフィルム基材１１からなり、フィルム基材１１の出射面１１ｂに多数の細長状プリズム３２Ａ、３２Ｂからなる凸状部が設けられている。
【００９３】
細長状プリズム３２Ａ、３２Ｂは、各々略三角柱状となっており、一方向に延びる第１細長状プリズム３２Ａと、この一方向に直交する他方向に延びる第２細長状プリズム３２Ｂとを有している。
【００９４】
ここで図１４（ａ）は農業用太陽光制御フィルム１０を示す裏面図であり、図１４（ｂ）は図１４（ａ）のＸ線方向断面図であり、図１４（ｃ）は第１細長状プリズム１２を示す図であり、図１４（ｄ）は第２細長状プリズム１２を示す図であり、図１４（ｅ）は図１４（ａ）のＹ線方向断面図である。
【００９５】
また図１４（ａ）〜（ｅ）において、第１細長状プリズム３２Ａおよび第２細長状プリズム３２Ｂは、その頂部が平坦状に切断されて頂面３２ａを形成している。
【００９６】
このように第１細長状プリズム３２Ａおよび第２細長状プリズム３２Ｂの頂部に平坦状の頂面３２ａが形成されているので、この頂面３２ａにおいて結露しにくくなっている。
【００９７】
次に本発明の更なる変形例を図１５（ａ）（ｂ）（ｃ）（ｄ）（ｅ）により説明する。
【００９８】
図１５（ａ）（ｂ）（ｃ）（ｄ）（ｅ）に示すように、農業用太陽光制御フィルム１０は、入射面１１ａと出射面１１ｂとを有するフィルム基材１１からなり、フィルム基材１１の出射面１１ｂに多数の細長状プリズム３２Ａ、３２Ｂからなる凸状部が設けられている。
【００９９】
細長状プリズム３２Ａ、３２Ｂは、各々略三角柱状となっており、一方向に延びる第１細長状プリズム３２Ａと、この一方向に直交する他方向に延びる第２細長状プリズム３２Ｂとを有している。
【０１００】
ここで図１５（ａ）は農業用太陽光制御フィルム１０を示す裏面図であり、図１５（ｂ）（ｃ）は図１５（ａ）のＸ線方向断面図であり、図１５（ｄ）（ｅ）は図１５（ａ）のＹ線方向断面図である。
【０１０１】
また図１５（ａ）〜（ｅ）において、第１細長状プリズム３２Ａおよび第２細長状プリズム３２Ｂは、いずれも所定間隔をおいて配置されており、各第１細長状プリズム３２Ａ間には平坦面３３が形成され、各第２細長状プリズム３２Ｂ間にも平坦面３３が形成されている。
【０１０２】
このように基材フィルム１１の第１細長状プリズム３２Ａ間に平坦面３３を形成し、第２細長状プリズム３２Ｂ間に平坦面３３を形成することにより、太陽光を屈折させない部分（平坦面）３３、すなわち太陽光の光路長を短くすることができる部分を広くとることができる。
【０１０３】
また第１細長状プリズム３２Ａの頂部に、尾根３２ｂを形成してもよく（図１５（ｂ））、第１細長状プリズム３２Ａの頂部に平坦状の頂面３２ａを形成してもよい（図１５（ｃ））。
【０１０４】
また第２細長状プリズム３２Ｂの頂部に、尾根３２ｂを形成してもよく（図１５（ｄ））、第２細長状プリズム３２Ｂの頂部に平坦状の頂面３２ａを形成してもよい（図１５（ｅ））。
【０１０５】
次に本発明の更なる変形例を図１６（ａ）（ｂ）（ｃ）（ｄ）により説明する。
【０１０６】
図１６（ａ）（ｂ）（ｃ）（ｄ）に示すように、農業用太陽光制御フィルム１０は、入射面１１ａと出射面１１ｂとを有するフィルム基材１１と、フィルム基材１１の出射面１１ｂ側に固着された補強板３５とを有し、フィルム基材１１の出射面１１ｂに多数の細長状プリズム３２Ａ、３２Ｂからなる凸状部が設けられている。
【０１０７】
細長状プリズム３２Ａ、３２Ｂは、各々略三角柱状となっており、一方向に延びる第１細長状プリズム３２Ａと、この一方向に直交する方向に延びる第２細長状プリズム３２Ｂとを有している。そして第１細長状プリズム３２Ａと第２細長状プリズム３２Ｂの頂部には平坦状の頂面３２ａが形成されている。
【０１０８】
ここで図１６（ａ）は基材フィルム１１の裏面図であり、図１６（ｂ）は図１６（ａ）のＸ線方向断面図であり、図１６（ｃ）は第１細長状プリズム３２Ａを示す斜視図であり、図１６（ｄ）は図１６（ａ）のＹ線方向断面図である。
【０１０９】
図１６（ａ）〜（ｄ）に示すように、フィルム基材１１の出射面１１ｂ側に設けられた補強板３５は、第１細長状プリズム３２Ａおよび第２細長状プリズム３２Ｂの頂面３２ａに固着されている。このため、農業用太陽光制御フィルム１０全体としての剛性をもたせることができる。
【０１１０】
またフィルム基材１１と補強板３５との間に空間３６が形成され、補強板３５には空間３６内とハウス２０内とを連通する開孔３５ａが設けられている。
【０１１１】
次に図１７（ａ）（ｂ）（ｃ）により、第１細長状プリズム３２Ａおよび第２細長状プリズム３２Ｂの頂面３２ａに固着された補強板３５について説明する。
【０１１２】
第１細長状プリズム３２Ａおよび第２細長状プリズム３２Ｂの頂面３２ａに固着された補強板３５は、だ円状の開孔３５ａを有していてもよく（図１７（ａ））、長方形の開孔３５ａを有していてもよい（図１７（ｂ））。
【０１１３】
あるいは補強板３５は、スリット状の開孔３５ａを有していてもよい（図１７（ｃ））。
【０１１４】
なお、上述のように第１細長状プリズム３２Ａと第２細長状プリズム３２Ｂを有するフィルム基材１１の出射面１１ｂに補強板３５を固着した例を示したが、図１乃至図１２に示す第１の実施の形態において、単位プリズム１２を有するフィルム基材１１の出射面１１ｂに開孔３５ａを有する補強板３５を固着してもよい。
【０１１５】
次に本発明の更なる変形例を図１８（ａ）（ｂ）（ｃ）により説明する。
【０１１６】
図１８（ａ）（ｂ）（ｃ）に示すように、農業用太陽光制御フィルム１０は、入射面１１ａと出射面１１ｂとを有するフィルム基材１１を有し、フィルム基材１１の出射面１１ｂに多数の細長状プリズム３２Ａ、３２Ｂからなる凸状部が設けられている。
【０１１７】
細長状プリズム３２Ａ、３２Ｂは、各々略三角柱状となっており、一方向に延びる第１細長状プリズム３２Ａと、この一方向に直交する方向に延びる第２細長状プリズム３２Ｂとを有している。
【０１１８】
ここで図１８（ａ）は基材フィルム１１の裏面図であり、図１８（ｂ）は図１８（ａ）のＸ線方向断面図であり、図１８（ｃ）は図１８（ａ）のＹ線方向断面図である。
【０１１９】
フィルム基材１１のうち、第１細長状プリズム３２Ａの頂角は９０°、第１細長状プリズム３２Ａの長辺の傾斜角は２３°となっている。またフィルム基材１１のうち入射面１１ａから第１細長状プリズム３２Ａの谷部までの高さは１００μｍ、第１細長状プリズム３２Ａの配置ピッチは２００μｍとなっている。
【０１２０】
また第２細長状プリズム３２Ｂの頂角は９０°、第２細長状プリズム３２Ｂの各辺の傾斜角は４５°となっている。
【０１２１】
またフィルム基材１１のうち入射面１１ａから第２細長状プリズム３２Ｂの谷部までの高さは１００μｍ、第２細長状プリズム３２Ｂの配置ピッチは１００μｍとなっている。
【符号の説明】
【０１２２】
１０  農業用太陽光制御フィルム
１１  フィルム基材
１１ａ  入射面
１１ｂ  出射面
１２  単位プリズム
１２ａ  頂面
１３  平坦面
１５  単位プリズム形成領域
１６  平坦領域
２０  ハウス
３２Ａ  第１細長状プリズム
３２Ｂ  第２細長状プリズム
３２ａ  頂面
３３  平坦面
３５  補強板
３５ａ  開孔
【図１】
0005930381.tif 000002
【図２】
0005930381.tif 000003
【図３】
0005930381.tif 000004
【図４】
0005930381.tif 000005
【図５】
0005930381.tif 000006
【図６】
0005930381.tif 000007
【図７】
0005930381.tif 000008
【図８】
0005930381.tif 000009
【図９】
0005930381.tif 000010
【図１０】
0005930381.tif 000011
【図１１】
0005930381.tif 000012
【図１２】
0005930381.tif 000013
【図１３】
0005930381.tif 000014
【図１４】
0005930381.tif 000015
【図１５】
0005930381.tif 000016
【図１６】
0005930381.tif 000017
【図１７】
0005930381.tif 000018
【図１８】
0005930381.tif 000019